(57)【要約】【課題】ＬＥＤを用いて食肉を鮮度よく見せることができる照明装置を提供する。【解決手段】ＣＩＥＬＡＢ（Ｌ*ａ*ｂ*）色空間において、演色評価数ＣＱＳに用いられるマンセル色見本のＶＳ１４に対応する座標（ａ*、ｂ*）が、ｂ*≧−０．７５×ａ*＋α（７７≦α≦８７）の関係を満たす白色の出力光を出力する。【選択図】図１
2015156456.tif 000002
【特許請求の範囲】
【請求項１】
ＣＩＥＬＡＢ（Ｌ*ａ*ｂ*）色空間において、演色評価数ＣＱＳに用いられるマンセル色見本のＶＳ１４に対応する座標（ａ*、ｂ*）が、ｂ*≧−０．７５×ａ*＋α（７７≦α≦８７）の関係を満たす白色の出力光を出力することを特徴とする照明装置。
【請求項２】
青色ＬＥＤと、
ピーク波長が６４５ｎｍ以上且つ６７５ｎｍ以下である赤色ＬＥＤと、
前記青色ＬＥＤの出射光に励起されてピーク波長が５３０ｎｍ以上且つ５５０ｎｍ以下である緑色光を出射する緑色蛍光体を含み、前記青色ＬＥＤと前記赤色ＬＥＤを覆って配置されたカバー樹脂と
を備えることを特徴とする請求項１に記載の照明装置。
【請求項３】
前記緑色蛍光体のスペクトル半値幅が６０ｎｍ以下であることを特徴とする請求項２に記載の照明装置。
【請求項４】
前記緑色蛍光体が、β−ＳｉＡｌＯＮであることを特徴とする請求項３に記載の照明装置。
【請求項５】
前記赤色ＬＥＤが、ＡｌＧａＩｎＰ系のＬＥＤであることを特徴とする請求項２乃至４のいずれか１項に記載の照明装置。
【請求項６】
前記カバー樹脂が、前記青色ＬＥＤの出射光に励起されて、前記赤色ＬＥＤの出力光のピーク波長よりもピーク波長が長波長の赤色光を出射する赤色蛍光体を更に含むことを特徴とする請求項２乃至５のいずれか１項に記載の照明装置。
【請求項７】
前記青色ＬＥＤのピーク波長が４４０ｎｍ以上且つ４６０ｎｍ以下であることを特徴とする請求項２乃至６のいずれか１項に記載の照明装置。
【発明の詳細な説明】
【技術分野】
【０００１】
本発明は、蛍光体を励起して光を出力する照明装置に関する。
【背景技術】
【０００２】
照明を当てた食肉（特に牛肉）を鮮度よく見せるためには、食肉の赤みの部分とサシの部分とのコントラストが重要である。つまり、赤みの赤色を鮮やかに見せつつ、サシの白色を赤っぽく見せない照明が求められる。この効果を得るために、食肉専用の蛍光灯が従来から使用されている。
【０００３】
しかし、エコロジーや省エネルギーの観点から、食肉用の照明を蛍光灯から発光ダイオード（ＬＥＤ）を用いた照明に置き換えたいという要求が高まってきた。食肉用のＬＥＤ照明を実現するために、様々な方法が検討されている（例えば、特許文献１参照。）。しかしながら、食肉を鮮度よく見せる照明装置として、ＬＥＤ照明の性能は未だ不十分である。
【先行技術文献】
【特許文献】
【０００４】
【特許文献１】特開２０１２−６４８８８号公報
【発明の概要】
【発明が解決しようとする課題】
【０００５】
上記問題点に鑑み、本発明は、ＬＥＤを用いて食肉を鮮度よく見せることができる照明装置を提供することを目的とする。
【課題を解決するための手段】
【０００６】
本発明の一態様によれば、ＣＩＥＬＡＢ（Ｌ*ａ*ｂ*）色空間において、演色評価数ＣＱＳに用いられるマンセル色見本のＶＳ１４に対応する座標（ａ*、ｂ*）が、ｂ*≧−０．７５×ａ*＋α（７７≦α≦８７）の関係を満たす白色の出力光を出力する照明装置が提供される。
【発明の効果】
【０００７】
本発明によれば、ＬＥＤを用いて食肉を鮮度よく見せることができる照明装置を提供できる。
【図面の簡単な説明】
【０００８】
【図１】本発明の実施形態に係る照明装置の構成を示す模式的な断面図である。
【図２】ミオグロビンのスペクトル特性を示すグラフである。
【図３】ミオグロビンのＣＩＥＬＡＢ（Ｌ*ａ*ｂ*）色空間における分布を示すグラフである。
【図４】図３のエリアＡを拡大したグラフである。
【図５】白色化を進めた場合のＣＩＥＬＡＢ（Ｌ*ａ*ｂ*）色空間における分布変化を説明するグラフである。
【図６】食肉蛍光灯と高演色ＬＥＤのＣＩＥＬＡＢ（Ｌ*ａ*ｂ*）色空間上での分布を示すグラフである。
【図７】食肉蛍光灯と高演色ＬＥＤの演色評価数の例を示す表である。
【図８】本発明の実施形態に係る照明装置に使用される赤色ＬＥＤのスペクトル特性を示すグラフである。
【図９】緑色蛍光体から出射される光のスペクトル特性を示すグラフである。
【図１０】本発明の実施形態に係る照明装置の構成を示す模式的な平面図である。
【図１１】本発明の実施形態に係る照明装置の他の構成を示す模式的な平面図である。
【図１２】本発明の実施形態に係る照明装置の出力光のスペクトル特性を最適化する例を示すグラフである。
【図１３】本発明の実施形態に係る照明装置の出力光のＣＩＥＬＡＢ（Ｌ*ａ*ｂ*）色空間における分布を最適化する例を示すグラフである。
【発明を実施するための形態】
【０００９】
次に、図面を参照して、本発明の実施形態を説明する。以下の図面の記載において、同一又は類似の部分には同一又は類似の符号を付している。又、以下に示す実施形態は、この発明の技術的思想を具体化するための装置や方法を例示するものであって、この発明の技術的思想は、構成部品の形状、構造、配置等を下記のものに特定するものでない。この発明の実施形態は、特許請求の範囲において、種々の変更を加えることができる。
【００１０】
本発明の実施形態に係る照明装置１は、図１に示すように、青色光を出射する青色ＬＥＤ１０と、赤色光を出射する赤色ＬＥＤ２０と、青色ＬＥＤ１０と赤色ＬＥＤ２０を覆って配置されたカバー樹脂３０とを備える。カバー樹脂３０は、青色ＬＥＤ１０の出射光に励起されて緑色光を出射する緑色蛍光体４１と赤色光を出射する赤色蛍光体４２とを含む。図１に示した照明装置１は、開口部よりも底部の狭い凹部を有するパッケージ５０の凹部底面に、青色ＬＥＤ１０と赤色ＬＥＤ２０が配置された構造である。パッケージ５０の凹部は、カバー樹脂３０により充填されている。カバー樹脂３０には、シリコン樹脂などが採用可能である。
【００１１】
詳細を後述するように、照明装置１は、ＣＩＥＬＡＢ（Ｌ*ａ*ｂ*）色空間において、演色評価数ＣＱＳに用いられるマンセル色見本のＶＳ１４に対応する座標（ａ*、ｂ*）が、ｂ*≧−０．７５×ａ*＋α（７７≦α≦８７）の関係を満たす白色の出力光Ｌを出力する。上記のように、本発明の実施形態に係る照明装置１では、カバー樹脂３０を透過して出力される出力光Ｌの演色性を設定するために、演色評価数ＣＱＳ（Color Quality Scale）を利用している。
【００１２】
従来、演色性の評価指標として演色評価数ＣＲＩ（Color Rendering Index）が使用されてきた。しかし、演色評価数ＣＲＩを使用して、赤色成分を表す演色評価数Ｒ９を基準にしてＬＥＤを用いた食肉用の照明光を設定した場合には、食肉用の蛍光灯で得られていた効果を再現できていない。これは以下の理由によると考えられる。
【００１３】
演色評価数ＣＲＩによるＲａ評価系では、色空間での真値からのズレの距離で演色性が計算される。ところが、彩度が高い方にズレた場合の方が、彩度が低い方にズレた場合よりも、真値からのズレの大きさが同じであっても人間の目には良い色具合に見える可能性が高い。このため、演色評価数ＣＲＩを基準として演色性を評価して照明光を設定しても、食肉を鮮度よく見せることが難しい。
【００１４】
具体的には、演色評価数ＣＲＩに基づいてＬＥＤ照明の出力光を設定した場合に、食肉の赤みの部分と白色のサシの部分とのコントラストが不十分であった。また、赤みの部分を鮮やかに見せようと低い色温度に設定すると、白色が鮮やかには見えなくなるという問題が生じた。高演色性といわれるＬＥＤ照明でも、十分な効果が得られなかった。
【００１５】
このため、本発明者らは、食肉用の照明光の演色性を評価するために、演色評価数ＣＲＩに替わる新たな指標として演色評価数ＣＱＳに着目した。より具体的には、演色評価数ＣＱＳに用いられるマンセル色見本のＶＳ１〜ＶＳ１５に対応する座標（ａ*、ｂ*）を、照明装置１の出力光Ｌの指標とする。以下に、詳細を説明する。
【００１６】
食肉の赤色成分はミオグロビン（Ｍｂ） という水溶性たんぱく質からなる。ミオグロビンは鉄を錯体としたポルフィリン環状化合物とグロビン（たんぱく質）で形成されており、筋肉中にあって酸素を貯蔵する役割を担っている。ミオグロビンの最も新鮮な状態は、酸素供給されないが貯蔵された酸素を筋肉が消費している還元型ＲＭｂである。次いで新鮮な状態は、表層部において酸化ではなく酸素と結合する酸素型ＯＭｂである。還元型ＲＭｂと酸素型ＯＭｂが新鮮な状態であり、食肉の赤色が鮮やかである。その後、ミオグロビンは、自動酸化による劣化によって茶褐色に変色するメト型ＭＭｂに移行する。
【００１７】
図２に、還元型ＲＭｂのスペクトル特性を特性Ｓ１、酸素型ＯＭｂのスペクトル特性を特性Ｓ２、メト型ＭＭｂのスペクトル特性を特性Ｓ３として示す（以下において同様。）。本発明者らは、還元型ＲＭｂ、酸素型ＯＭｂ、及びメト型ＭＭｂのそれぞれの状態におけるミオグロビンの反射スペクトルについて調査を行った。具体的には、演色評価数ＣＱＳに用いられるマンセル色見本のＶＳ値に対応させて、ＣＩＥＬＡＢ（Ｌ*ａ*ｂ*）色空間で反射スペクトルを精査した。その結果、図３に示すように、還元型ＲＭｂと酸素型ＯＭｂとではＶＳ１０〜ＶＳ１４間の傾斜がほほ同じであることを確認した。ここで、「ＶＳ１０〜ＶＳ１４間の傾斜」とは、ＣＩＥＬＡＢ（Ｌ*ａ*ｂ*）色空間におけるＶＳ１０〜ＶＳ１４の座標間をつなぐ仮想線のａ*軸に対する傾きである。図３では、還元型ＲＭｂ、酸素型ＯＭｂ及びメト型ＭＭｂのＶＳ１０〜ＶＳ１４の座標を破線で囲って示している。
【００１８】
図３に示したように、還元型ＲＭｂや酸素型ＯＭｂとメト型ＭＭｂとでは、ＶＳ１４の座標（ａ*、ｂ*）の違いが大きいことが確認された。つまり、メト型ＭＭｂと新鮮な還元型ＲＭｂと酸素型ＯＭｂとの見え方の違いにおいて、ＶＳ１４の値が極めて重要であるという知見が得られた。
【００１９】
ここで、ＣＩＥＬＡＢ（Ｌ*ａ*ｂ*）色空間におけるＶＳ１０〜ＶＳ１４が含まれる領域（第１象限）を、図３に示すようにエリアＡとする。図４に、エリアＡの拡大図を示す。酸素型ＯＭｂに対するＶＳ１０〜ＶＳ１４間の平均傾斜は−０．７５である。図４に示す酸素型ＯＭｂに対するＶＳ１０〜ＶＳ１４の座標間をつなぐ仮想線は、ｂ*＝−０．７５×ａ*＋８６．２２で表される。一方、この酸素型ＯＭｂによるＣＩＥＬＡＢ（Ｌ*ａ*ｂ*）は、あくまで食肉の赤色成分の表記であり、この色成分をできるだけ損なわずに白色照明に展開しようとすると、必ず第１象限はＬ*ａ*ｂ*上で縮む方向へ動き、第２、第４象限は膨らむ方向へ動く。白色化には、ある程度の色バランスが必要である。これらの精査から、照明装置１では、ＶＳ１０〜ＶＳ１４がｂ*＝−０．７５×ａ*＋α（７７≦α≦８７）に維持された白色の出力光Ｌが出力される。以下において、エリアＡにおいてｂ*＝−０．７５×ａ*＋αで示される仮想線を「ボーダーラインＢ」という。図４に示したボーダーラインＢは、酸素型ＯＭｂに対するＶＳ１０〜ＶＳ１４の座標間をつなぐ、ｂ*＝−０．７５×ａ*＋８６．２２で表される直線である。
【００２０】
なお、ボーダーラインＢのｂ*軸との交点である切片αは、後述のように、出力光Ｌに所望の色温度に応じて設定される。切片αが大きいほど、色温度が低くなる。
【００２１】
図３及び図４に示したように、ＶＳ１０〜ＶＳ１３では、還元型ＲＭｂや酸素型ＯＭｂとメト型ＭＭｂとの差は小さい。このため、照明装置１では、少なくともＶＳ１４がｂ*＝−０．７５×ａ*＋αで表されるボーダーラインＢよりも小さくならないように、座標（ａ*、ｂ*）が設定されている。即ち、照明装置１は、ＣＩＥＬＡＢ（Ｌ*ａ*ｂ*）色空間において演色評価数ＣＱＳに用いられるマンセル色見本のＶＳ１４に対応する座標（ａ*、ｂ*）が式（１）に示した関係式を満足する白色の出力光Ｌを出力するのである：
【００２２】
ｂ*≧−０．７５×ａ*＋α  ・・・（１）
【００２３】
図５に、白色化を進めた場合のＣＩＥＬＡＢ（Ｌ*ａ*ｂ*）色空間における分布変化のグラフを示す。図５に示した平均傾斜線Ｂ０は、酸素型ＯＭｂに対するＶＳ１０〜ＶＳ１４によって規定されるｂ*＝−０．７５×ａ*＋８６．２２で表される直線である。白色化を進めると、ＣＩＥＬＡＢ（Ｌ*ａ*ｂ*）色空間における分布が原点を中心とする点対称に近づく。即ち、図５に矢印で示したように、第１象限及び第３象限では原点に近づくように分布が縮まり、第２象限及び第４象限では原点から離れるように分布が広がる。このため、第１象限であるエリアＡでは、平均傾斜線Ｂ０よりも切片αが小さいようにボーダーラインＢが設定される。
【００２４】
即ち、ボーダーラインＢは、酸素型ＯＭｂのＶＳ１０〜ＶＳ１４の傾き（ｂ*／ａ*＝−０．７５）を維持しつつ、白色化を進めた場合にも還元型ＲＭｂ及び酸素型ＯＭｂのＶＳ１０〜ＶＳ１４のすべてを含むように設定される。このように、照明装置１では、ＶＳ１０〜ＶＳ１４が白色化によるＣＩＥＬＡＢ（Ｌ*ａ*ｂ*）色空間における分布の変化を考慮したボーダーラインＢ以上になるように、出力光Ｌが設定されている。
【００２５】
式（１）に示した切片αは、出力光Ｌに所望の色温度に応じて設定される。具体的には、７７≦α≦８７で６５００Ｋ〜２５００Ｋに対応する。切片αが大きいほど出力光Ｌの色温度が低くなる。
【００２６】
一般的に、照明用途ＬＥＤには所望の色度（色温度）という制約が存在する。式（１）は食肉の赤色成分を鮮やかに見せるためのＣＩＥＬＡＢ（Ｌ*ａ*ｂ*）色空間上のボーダーラインであるが、同時に白色照明としての用途も満たさなければならないものであり、それ故αに範囲が発生する。すなわち、所望の色度に対してαが決定し式（１）は固定され、このライン以下であればミオグロビンの赤成分の鮮やかさが失われていき、それ以上であれば鮮やかさはより増す。しかし、色度の制約から、それぞれの所望の色度に対応してその上限はおのずと決定されるものである。このような意味から、式（１）は酸素型ＯＭｂに基づく赤色成分の表現の下限を設定したボーダーラインである。
【００２７】
以下に、従来から使用されている食肉蛍光灯によって食肉の赤色を鮮やかに見せる効果が、高演色ＬＥＤでは実現が困難であることを説明する。図６に、食肉蛍光灯と高演色ＬＥＤのＣＩＥＬＡＢ（Ｌ*ａ*ｂ*）色空間上での分布を比較した例を示す。図６において、食肉蛍光灯の特性をＰ１、平均演色評価数Ｒａが８５である高演色ＬＥＤ（以下において「ＬＥＤ１」という。）の特性をＰ２１、平均演色評価数Ｒａが９５である高演色ＬＥＤ（以下において「ＬＥＤ２」という。）の特性をＰ２２として示した。
【００２８】
図６に示すように、ＬＥＤ１及びＬＥＤ２による照明では、食肉蛍光灯と比較して、分布している面積が狭く、彩度が足りない。これは、高演色ＬＥＤはスペクトルの連続性を重要視しているためである。特に、ＶＳ１４が含まれる破線で囲った領域では分布の差が大きい。図７に、食肉蛍光灯、ＬＥＤ１及びＬＥＤ２の演色評価数Ｒ９（赤成分）を示す。食肉蛍光灯の場合には、演色評価数Ｒ９が−９１という、高演色ＬＥＤと比べて特異な数値を示す。このように、高演色ＬＥＤによって食肉蛍光灯による効果を得ることは困難である。
【００２９】
上記のように、スペクトルの連続性を重視する高演色ＬＥＤは彩度が低く、鮮やかな赤色を発色させることは難しい。したがって、赤色を鮮やかに見せるためには、スペクトル半値幅が狭い光を出力する光源や蛍光体を使用して、スペクトル強度のピーク値を際立たせることが有効である。
【００３０】
照明装置１では、緑色の波長帯と赤色の波長帯の間、即ち黄色の波長帯に相当する６００ｎｍ付近の強度を低下させることによって、赤色波長でのピーク値を際立たせたスペクトル特性を実現した。これにより、照明装置１は、ＶＳ１４に対応する座標が式（１）を満足する出力光Ｌを出力する。
【００３１】
具体的には、スペクトル半値幅の狭い赤色光を出力する赤色ＬＥＤ２０を使用する。例えば、アルミニウム・インジウム・ガリウム・リン（ＡｌＧａＩｎＰ）系の、図８に示すように発光スペクトルのピーク値の波長（以下において、「ピーク波長」という。）が６４５ｎｍ以上且つ６７５ｎｍ以下であるＬＥＤなどが赤色ＬＥＤ２０に使用される。
【００３２】
更に、緑色蛍光体４１として、青色ＬＥＤ１０に励起されて出力する緑色光のスペクトル半値幅ができるだけ狭い緑色蛍光体を使用する。図９に、緑色蛍光体の発光スペクトルを比較した例を示す。図９において、特性Ｇ１がβサイアロン（β−ＳｉＡｌＯＮ）のスペクトル特性であり、特性Ｇ２がバリウム・オルソシリケート（ＢＯＳ）のスペクトル特性であり、特性Ｇ３がイットリウム・アルミニウム・ガーネット（ＹＡＧ）のスペクトル特性である。図９に示したように、これらの蛍光体ではβ−ＳｉＡｌＯＮにおいてスペクトル半値幅が最も狭いため、緑色蛍光体４１としてβ−ＳｉＡｌＯＮが好適に使用される。β−ＳｉＡｌＯＮから出力される緑色光のピーク波長は５３０ｎｍ以上且つ５５０ｎｍ以下の範囲であり、スペクトル半値幅は４０ｎｍ程度である。例えば、（Ｓｉ，ＡＬ）6（Ｏ，Ｎ）8：ＥＵなどの酸窒化物材料が緑色蛍光体４１に使用される。また、チオガレート（Thiogallate）系緑色蛍光体、例えば（Ｓｒ，Ｃａ）Ｇａ2Ｓ4：Ｅｕなどを緑色蛍光体４１に採用してもよい。緑色蛍光体４１のスペクトル半値幅は６０ｎｍ以下であることが好ましい。
【００３３】
なお、照明装置１の出力光Ｌの明るさを確保するために、緑色蛍光体４１は許容遷移する蛍光体から選択することが好ましい。同様の理由で、赤色ＬＥＤ２０は直接遷移により発光し、且つ、ダブルへテロ（ＤＨ）構造の赤色ＬＥＤを選択することが好ましい。
【００３４】
また、色度調整の観点から、少量の深い赤色の光を出力する蛍光体をカバー樹脂３０に加えることが好ましい。即ち、赤色ＬＥＤ２０の出力光のピーク波長よりもピーク波長が長波長の赤色光を、青色ＬＥＤ１０の出射光に励起されて出力する赤色蛍光体４２をカバー樹脂３０に含有させる。これにより、照明装置１によって照射された食肉の赤色が更に増して見える効果が得られる。赤色蛍光体４２としては、例えば窒化物系赤色蛍光体（ＣＡＳＮ）などを採用可能である。
【００３５】
上記のようにして、照明装置１では、出力光ＬについてＶＳ１０〜ＶＳ１４がボーダーラインＢ以上に合わせ込まれている。例えば、以下の組み合わせなどを照明装置１に採用可能である。即ち、青色ＬＥＤ１０としてピーク波長が４４０ｎｍ〜４６０ｎｍ程度の青色ＬＥＤを使用し、赤色ＬＥＤ２０としてＡｌＧａＩｎＰからなる赤色ＬＥＤを使用する。例えば、青色ＬＥＤ１０にインジウム窒化ガリウム（ＩｎＧａＮ）からなるＬＥＤを採用可能である。また、カバー樹脂３０に含まれる緑色蛍光体４１としてβ−ＳｉＡｌＯＮを使用する。更に、カバー樹脂３０は、青色光によって励起される赤色蛍光体４２として窒化物系赤色蛍光体（ＣＡＳＮ）を含有する。カバー樹脂３０の赤色蛍光体４２の含有量は、０．０２重量％程度である。
【００３６】
ところで、長波長で透過し易く、且つ彩度の高い赤色ＬＥＤ２０の光はスポットとなり易く、混色しづらい。しかし、照明装置１の品質上、赤色ＬＥＤ２０の発光点が外部から見えないことが好ましい。このため、散乱材をカバー樹脂３０に混入することが、照明装置１に発光点を生じさせないことに有効である。
【００３７】
散乱材としては、シリカ系散乱材などを採用可能である。なお、散乱材の含有率が低すぎると、赤色光を散乱する効果が低く、カバー樹脂３０に発光点を生じるおそれが生じる。一方、カバー樹脂３０の散乱材の含有率が高すぎると、カバー樹脂３０の粘度が高くなって成形しづらいなどの製造上の問題が生じる。本発明者らの検討によれば、カバー樹脂３０の散乱材の含有率は１５〜３５重量％程度とすることが好ましい。
【００３８】
上記のすべての材料を同一のパッケージ５０内に配置して、照明装置１が構成される。図１０に、照明装置１の平面図の例を示す。図１０に示した照明装置１では、パッケージ５０に搭載された青色ＬＥＤ１０と赤色ＬＥＤ２０とが、駆動電流を供給する電源（図示略）に接続する電極６０と直列接続されている。また、図１１に示すように、電極６１に接続された青色ＬＥＤ１０と電極６２に接続された赤色ＬＥＤ２０とを並列接続してもよい。
【００３９】
なお、照明装置１では、青色ＬＥＤ１０の仕様の設定などによって、出力光Ｌのスペクトル特性及びＣＩＥＬＡＢ（Ｌ*ａ*ｂ*）色空間における分布を最適化することができる。例えば、青色ＬＥＤ１０の個数、青色ＬＥＤ１０と赤色ＬＥＤ２０との駆動電流比、青色ＬＥＤ１０の出力光の波長などを適宜選択することにより、出力光Ｌの青色成分や緑色成分の大きさの調整などができる。これにより、例えば図１２に矢印で示したように６００ｎｍ付近の強度を下げる。このように、緑色光に対応するピーク波長Ｐｇと赤色光に対応するピーク波長Ｐｒとの間でスペクトル強度の極小値を下げることによって、赤色光のピーク値を際立たせることができる。その結果、図１３に矢印で示すように、ＣＩＥＬＡＢ（Ｌ*ａ*ｂ*）色空間においてＶＳ１４に対応する座標（ａ*、ｂ*）がａ*方向に大きくなるように移動する。つまり、赤色をより鮮度よく見せることができる。
【００４０】
以上に説明したように、本発明の実施形態に係る照明装置１は、ＣＩＥＬＡＢ（Ｌ*ａ*ｂ*）色空間において、演色評価数ＣＱＳに用いられるマンセル色見本のＶＳ１４に対応する座標（ａ*、ｂ*）が、ｂ*≧−０．７５×ａ*＋α（７７≦α≦８７）の関係を満たす白色の出力光Ｌを出力する。照明装置１によれば、出力光Ｌの赤色に相当する波長帯でスペクトル特性のピーク値を際立たせ、ＣＩＥＬＡＢ（Ｌ*ａ*ｂ*）色空間においてＶＳ１４の座標をａ*方向に大きくできる。これにより、サシなどの白い部分を鮮やかに見せつつ食肉の赤色を鮮やかに見せることができる。その結果、ＬＥＤを用いて食肉を鮮度よく見せる照明装置１を提供することができる。
【００４１】
上記のように、本発明は実施形態によって記載したが、この開示の一部をなす論述及び図面はこの発明を限定するものであると理解すべきではない。この開示から当業者には様々な代替実施形態、実施例及び運用技術が明らかとなろう。即ち、本発明はここでは記載していない様々な実施形態等を含むことは勿論である。したがって、本発明の技術的範囲は上記の説明から妥当な特許請求の範囲に係る発明特定事項によってのみ定められるものである。
【符号の説明】
【００４２】
１…照明装置
１０…青色ＬＥＤ
２０…赤色ＬＥＤ
３０…カバー樹脂
４１…緑色蛍光体
４２…赤色蛍光体
５０…パッケージ
【図１】
2015156456.tif 000003
【図２】
2015156456.tif 000004
【図３】
2015156456.tif 000005
【図４】
2015156456.tif 000006
【図５】
2015156456.tif 000007
【図６】
2015156456.tif 000008
【図７】
2015156456.tif 000009
【図８】
2015156456.tif 000010
【図９】
2015156456.tif 000011
【図１０】
2015156456.tif 000012
【図１１】
2015156456.tif 000013
【図１２】
2015156456.tif 000014
【図１３】
2015156456.tif 000015